(57)【要約】【課題】  画像表示部に対し印画紙を精度の高いピッチで搬送することができ、絵柄画像と文字画像との合成画像を効率よく焼付処理することができるようにする。【解決手段】  画像表示部２１１よりも上流側に配設され、マガジンＭＧ３から引き出した印画紙Ｐをループ状にして貯溜するループ形成部２３５と、印画紙Ｐを少なくとも画像の焼付けを行うのに必要な長さ分だけループ形成部２３５から画像表示部２１１を通過させて下流側に搬送すると共に、画像表示部２１１における焼付処理時に下流側に搬送した印画紙Ｐを上流側に逆送させる搬送駆動手段２５５とを備える。【選択図】      図３
2004246390.tif 000002
【特許請求の範囲】
【請求項１】
光信号に変換された画像データを印画紙上に出力することにより画像の焼付けを行う画像表示部を有する画像転写部と、この画像転写部において焼付けを行った印画紙の現像を行う現像処理部と、マガジンから引き出した印画紙を前記画像表示部を経由して前記現像処理部に搬送する印画紙搬送部とを備えた焼付現像処理装置であって、
前記印画紙搬送部は、前記画像表示部よりも上流側に配設されると共に、前記マガジンから引き出した印画紙をループ状にして貯溜するループ形成部と、このループ形成部に貯溜されている印画紙を少なくとも画像の焼付けを行うのに必要な長さ分だけ当該ループ形成部から前記画像表示部を通過させて下流側に搬送すると共に、前記画像表示部における印画紙への画像の焼付処理時に前記下流側に搬送した印画紙を上流側に逆送させる搬送駆動手段とを備えたことを特徴とする焼付現像処理装置。
【請求項２】
前記画像表示部よりも下流側に配設されると共に、前記ループ形成部から前記画像表示部を通過して搬送されてくる焼付処理前の印画紙を一時的にストックするストック部と、前記ループ形成部から搬送されてくる印画紙を前記ストック部に案内するガイド部材と、このガイド部材を駆動するガイド部材駆動手段とを備えたことを特徴とする請求項１記載の焼付現像処理装置。
【請求項３】
前記ガイド部材駆動手段は、前記画像表示部における印画紙への１コマ目の焼付処理時にのみ、前記ループ形成部から搬送されてくる印画紙を前記ストック部に案内するものであることを特徴とする請求項２記載の焼付現像処理装置。
【請求項４】
前記画像転写部は、印画紙への画像の焼付処理時に当該印画紙を前記画像表示部の表示面に密着させるプレッシャーパッドを備えたことを特徴とする請求項１乃至３のいずれかに記載の焼付現像処理装置。
【請求項５】
前記印画紙搬送部は、前記画像表示部よりも下流側に配設されると共に、印画紙の画像の焼付処理された長さ分をカットするカッタ部を備えたことを特徴とする請求項１乃至４のいずれかに記載の焼付現像処理装置。
【発明の詳細な説明】
【技術分野】
【０００１】
本発明は、画像を印画紙上に焼付処理する焼付処理部と、この焼付処理部で焼付処理された印画紙を現像処理する現像処理部とを備えた焼付現像処理装置に関する。
【背景技術】
【０００２】
従来の焼付現像処理装置では、フィルムの絵柄画像と、絵柄画像の説明文等の文字画像との合成画像を得る場合、印画紙の文字焼付領域に遮蔽マスクを被せて絵柄焼付領域にフィルムの絵柄画像を光学的に焼付けた後、絵柄焼付領域に遮蔽マスクを被せる一方、予め作成した説明文等の文字のリス板を印画紙の文字焼付領域に重ねて文字画像を光学的に焼き付け、その後に現像処理を行うようにしていた。
【発明の開示】
【発明が解決しようとする課題】
【０００３】
ところが、上記方法で絵柄画像と文字画像との合成画像を得るようにした光学式の焼付現像処理装置では、文字を焼付処理するためのリス板を作成するのに時間がかかることや、絵柄焼付領域と文字焼付領域とに被せる個別の遮蔽マスクが必要になること等から効率よく合成画像を得ることができないという問題があった。
【０００４】
このため、このような問題を解決する手段として、絵柄画像と文字画像とをＣＣＤ等の撮像素子で読み取ってデジタル化すると共に、このデジタル化した画像データを光信号に変換して画像表示部により印画紙上に出力することで焼付処理を行うことが考えられる。しかしながら、このようなデジタル化した画像データを光信号に変換する場合には１乃至数ライン毎に画像を焼付けることになることから、画像表示部に対して印画紙を精度の高いピッチで搬送しなければならないという別の問題が生じる。
【０００５】
本発明は、このような事情に鑑みてなされたもので、画像表示部に対して印画紙を精度の高いピッチで搬送することができ、絵柄画像と文字画像との合成画像を効率よく焼付処理することができる焼付現像処理装置を提供することを目的とする。
【課題を解決するための手段】
【０００６】
上記の目的を達成するため、請求項１に係る焼付現像処理装置は、光信号に変換された画像データを印画紙上に出力することにより画像の焼付けを行う画像表示部を有する画像転写部と、この画像転写部において焼付けを行った印画紙の現像を行う現像処理部と、マガジンから引き出した印画紙を前記画像表示部を経由して前記現像処理部に搬送する印画紙搬送部とを備えたものであって、前記印画紙搬送部は、前記画像表示部よりも上流側に配設されると共に、前記マガジンから引き出した印画紙をループ状にして貯溜するループ形成部と、このループ形成部に貯溜されている印画紙を少なくとも画像の焼付けを行うのに必要な長さ分だけ当該ループ形成部から前記画像表示部を通過させて下流側に搬送すると共に、前記画像表示部における印画紙への画像の焼付処理時に前記下流側に搬送した印画紙を上流側に逆送させる搬送駆動手段とを備えたことを特徴としている。
【０００７】
また、請求項２に係る焼付現像処理装置は、請求項１に係るものにおいて、前記画像表示部よりも下流側に配設されると共に、前記ループ形成部から前記画像表示部を通過して搬送されてくる焼付処理前の印画紙を一時的にストックするストック部と、前記ループ形成部から搬送されてくる印画紙を前記ストック部に案内するガイド部材と、このガイド部材を駆動するガイド部材駆動手段とを備えたことを特徴としている。
【０００８】
また、請求項３に係る焼付現像処理装置は、請求項２に係るものにおいて、前記ガイド部材駆動手段が、前記画像表示部における印画紙への１コマ目の焼付処理時にのみ、前記ループ形成部から搬送されてくる印画紙を前記ストック部に案内するものであることを特徴としている。
【０００９】
また、請求項４に係る焼付現像処理装置は、請求項１乃至３のいずれかに係るものにおいて、前記画像転写部が、印画紙への画像の焼付処理時に当該印画紙を前記画像表示部の表示面に密着させるプレッシャーパッドを備えたことを特徴としている。
【００１０】
また、請求項５に係る焼付現像処理装置は、請求項１乃至４のいずれかに係るものにおいて、前記印画紙搬送部が、印画紙の画像の焼付処理された長さ分をカットするカッタ部を備えたことを特徴としている。
【発明の効果】
【００１１】
請求項１の発明によれば、印画紙をループ形成部から画像表示部を通過させて下流側に搬送するようにしているため、印画紙に略一定の安定した負荷がかかるようになってループ形成部から正確な長さ寸法の印画紙を下流側に搬送することができると共に、画像表示部における焼付処理時に下流側に搬送された印画紙を逆送させるようにしているため、印画紙に不安定な負荷がかからないようになって精度の高いピッチで印画紙を画像表示部に対し搬送することができ、画像表示部において絵柄画像と文字画像との合成画像を印画紙に対し効率よく焼付処理することができる。
【００１２】
請求項２の発明によれば、ループ形成部から画像表示部を通過して搬送されてくる印画紙をストック部にストックすることができるため、焼付処理時に印画紙を画像表示部に対し容易に逆送することができる。
【００１３】
請求項３の発明によれば、１コマ目の焼付処理時にのみ印画紙がストック部にストックされるため、２コマ目以降の焼付処理時には印画紙を下流側から直接逆送させることができるようになる結果、処理スピードを早めることができる。
【００１４】
請求項４の発明によれば、印画紙への画像の焼付処理時に印画紙がプレッシャーパッドにより画像表示部の表示面に密着されるため、浮き上がりのない状態で印画紙に対し焼付処理を行うことができる。
【００１５】
請求項５の発明によれば、印画紙の画像の焼付処理された長さ分がカットされるため、印画紙を逆送したときに常に印画紙の先頭領域に焼付処理を行うことができる。
【発明を実施するための最良の形態】
【００１６】
図１は、本発明の一実施形態に係る焼付現像処理装置（写真焼付装置）の全体構成を示す図であり、ここには各構成要素間の方向関係を明確にするためのＸＹＺ直角座標系が示されている。この図において、焼付現像処理装置は、前側（＋Ｘ方向）に配置された第１の焼付処理部１０と、第１の焼付処理部１０の上方（＋Ｚ方向）に配設された第２の焼付処理部２０と、第１の焼付処理部１０の後側（−Ｘ方向）に配設された現像処理部３０と、現像処理部３０の上方（＋Ｚ方向）に配設された印画紙排出部４０とから構成されている。
【００１７】
なお、第１の焼付処理部１０の前側（＋Ｘ方向）には操作盤５０が配設され、その操作盤面にはスタートスイッチ、第１の焼付処理部１０及び第２の焼付処理部２０の一方を選択する焼付処理部選択キー、焼付時の拡大倍率を指定する倍率設定キー等の各種キーが配列され、さらに設定条件確認用等のモニタが設けられている。従って、操作者はこの操作盤５０の手前側（＋Ｘ方向）で焼付現像処理装置を操作することになる。
【００１８】
図２は、第１の焼付処理部１０の概略構成を示す図である。この図において、第１の焼付処理部１０は、フィルム画像を印画紙上に投影して焼付処理するものであり、前側（＋Ｘ方向）の上部（＋Ｚ方向）に配設されたフィルム画像投影部１１と、中央部に配設された焼付部１２と、互いに異なるサイズの印画紙が巻装された２個のマガジンを載置するマガジン載置部１３と、マガジン載置部１３に搭載された第１のマガジンＭＧ１と第２のマガジンＭＧ２から選択的に引き出された印画紙を焼付部１２に搬送する第１の搬送部１４と、焼付部１２と第１の搬送部１４との間に配設されたカッタ部１５と、焼付部１２で焼付処理された印画紙を現像処理部３０へ搬送する第２の搬送部１６とを備えている。
【００１９】
フィルム画像投影部１１は、現像済みのネガフィルムＦの各コマを焼付位置に移送するフィルム移送部１１１と、フィルム移送部１１１にセットされるネガフィルムＦの上方に配設されたハロゲンランプ等の光源１１２と、フィルム移送部１１１にセットされるネガフィルムＦと光源１１２との間に配設されたシャッタ１１３と、フィルム画像を焼付部１２上に搬送される印画紙面に結像させる光学レンズ１１４とを備えており、光源１１２からの光が中央部に配設された焼付部１２上に照射されるように斜めに配設されている。
【００２０】
フィルム移送部１１１は、ネガフィルムＦを巻き取る巻取ローラ１１５、巻取ローラ１１５を駆動するＤＣモータ等から構成されたローラ駆動部１１６を備え、ネガフィルムＦをコマ寸法分づつ間欠的に焼付位置に移送する。また、シャッタ１１３は、ＤＣモータ等から構成されたシャッタ駆動部１１７により開閉されるようになっている。光学レンズ１１４は、ＤＣモータ等から構成されたレンズ駆動部１１８により印画紙面との距離が調節され、フィルム画像が印画紙面に正確に結像されるようになっている。
【００２１】
焼付部１２は、ＤＣモータ等から構成されたローラ駆動部１２０により回転駆動される駆動ローラ１２１と、従動ローラ１２２と、これらのローラ１２１，１２２に架け渡された搬送ベルト１２３と、搬送ベルト１２３に所定の張力を与えるテンションローラ１２４と、搬送ベルト１２３上の印画紙を搬送ベルト１２３側に押圧する一方、印画紙の所定領域を遮蔽する遮蔽マスク１２５とを備えており、搬送ベルト１２３の印画紙搬送面が光源１１２の光軸と直交するように斜めに配設されている。
【００２２】
マガジン載置部１３は、フィルム画像投影部１１の後側（−Ｘ方向）に配設されると共に、第１のマガジンＭＧ１を載置する箇所の下方に第１の給紙ローラ１３１を備え、第２のマガジンＭＧ２を載置する箇所の下方に第２の給紙ローラ１３２を備えており、第１の給紙ローラ１３１と第２の給紙ローラ１３２をＤＣモータ等から構成されたローラ駆動部１３３により選択的に回転駆動させて第１のマガジンＭＧ１と第２のマガジンＭＧ２からサイズの異なる印画紙を選択的に引き出すようになっている。
【００２３】
第１の搬送部１４は、ＤＣモータ等から構成されたローラ駆動部１４０により回転駆動される搬送ローラ１４１を備え、第１のマガジンＭＧ１と第２のマガジンＭＧ２から引き出された印画紙を焼付部１２側に搬送する。
【００２４】
カッタ部１５は、印画紙の焼付面側に位置する第１の刃１５１と、印画紙の焼付面とは反対側に位置する第２の刃１５２とを備え、第１の刃１５１はＤＣモータなどから構成されたカッタ駆動部１５３により上下動されるようになっており、第１の搬送路１４により搬送されてきた長尺状の印画紙を予め設定された所定長さに切断する。切断された印画紙は、焼付部１２の搬送ベルト１２３上に載置されて焼付部１２の中央位置に搬送される。
【００２５】
第２の搬送部１６は、焼付部１２で焼付処理され、焼付部１２から排出された印画紙を後側（−Ｘ方向）に向けて横方向に搬送する横搬送ユニット１６１と、横搬送ユニット１６１から排出された印画紙を斜め上側（−Ｘ方向，＋Ｚ方向）に搬送する斜め搬送ユニット１６２と、斜め搬送ユニット１６２から排出された印画紙を上側（＋Ｚ方向）に向けて縦方向に搬送する縦搬送ユニット１６３と、縦搬送ユニット１６３から排出された印画紙を現像処理部３０に給送する排出ユニット１６４とを備えている。
【００２６】
横搬送ユニット１６１は、ＤＣモータ等から構成されたローラ駆動部１７０により回転駆動する駆動ローラ１７１と従動ローラ１７２とに架け渡された上搬送ベルト１７３と、ローラ駆動部１７０により回転駆動する駆動ローラ１７４と従動ローラ１７５とに架け渡され、上搬送ベルト１７３に密着して配設された下搬送ベルト１７６とから構成され、印画紙を上搬送ベルト１７３と下搬送ベルト１７６とで挟み込んで後側に搬送する。
【００２７】
斜め搬送ユニット１６２は、ＤＣモータ等から構成されたローラ駆動部１７８により回転駆動する駆動ローラ１７９と従動ローラ１８０とに架け渡された左搬送ベルト１８１と、ローラ駆動部１７８により回転駆動する駆動ローラ１８２と従動ローラ１８３とに架け渡され、左搬送ベルト１８１に密着して配設された右搬送ベルト１８４とから構成され、印画紙を左搬送ベルト１８１と右搬送ベルト１８４とで挟み込んで斜め上側に搬送する。
【００２８】
縦搬送ユニット１６３は、ＤＣモータ等から構成されたローラ駆動部１８６により回転駆動する駆動ローラ１８７と従動ローラ１８８とに架け渡された左搬送ベルト１８９と、ローラ駆動部１８６により回転駆動する駆動ローラ１９０と従動ローラ１９１とに架け渡され、左搬送ベルト１８９に密着して配設された右搬送ベルト１９２とから構成され、印画紙を左搬送ベルト１８９と右搬送ベルト１９２とで挟み込んで上側に搬送する。
【００２９】
排出ユニット１６４は、印画紙を現像処理部３０に搬送する搬送路１９４と、ＤＣモータ等から構成されたローラ駆動部１９５により回転駆動する駆動ローラ１９６と、駆動ローラ１９６に圧接された従動ローラ１９７とから構成され、印画紙を駆動ローラ１９６と従動ローラ１９７とで挟み込んで搬送路１９４上を搬送する。
【００３０】
図３は、第２の焼付処理部２０の概略構成を示す図である。この図において、第２の焼付処理部２０は、デジタル画像を印画紙上に焼付処理するもので、前側（＋Ｘ方向）に配設された画像転写部２１と、画像転写部２１の後側（−Ｘ方向）に配設され、印画紙の巻装されたマガジンＭＧ３を搭載するマガジン載置部２２と、マガジン載置部２２に搭載されたマガジンＭＧ３から引き出した印画紙を画像転写部２１を経由して下流側に搬送する第１の搬送部２３と、画像転写部２１で焼付処理され、第１の搬送部２３から搬送されてきた印画紙を現像処理部３０に搬送する第２の搬送部２６とを備えている。
【００３１】
画像転写部２１は、画像を表示するＦＯＣＲＴ（FiberOptic Cathode-Ray-Tube）からなる画像表示部２１１と、画像表示部２１１を駆動する駆動回路部２１２と、駆動回路部２１２に画像データを出力する画像データ出力部２１３とを備えており、画像表示部２１１はその表示面２１４が後側（−Ｘ方向）を向くように前後方向（Ｘ方向）に沿って配設されている。また、画像表示部２１１の表示面２１４に対向する位置には、ＤＣモータやカム機構等からなるパッド／ローラ駆動部２１５により画像表示部２１１に対する接離方向に移動するプレッシャーパッド２１６が配設され、画像表示部２１１による印画紙への焼付時には表示面２１４側に移動して印画紙が表示面２１４から浮き上がらないようになっている。このパッド／ローラ駆動部２１５の構成については後述する。
【００３２】
画像データ出力部２１３は、フィルム画像等の絵柄をＣＣＤ等の撮像素子で読み取った画像データに所定の画像処理を施して１乃至数ライン毎に出力する一方、パソコン等の外部装置から入力された文字の画像データに所定の画像処理を施して１乃至数ライン毎に出力するものである。
【００３３】
マガジン載置部２２は、マガジンＭＧ３がその印画紙の引出口ＥＸを上方（＋Ｚ方向）に位置させ、かつ、前側（＋Ｘ方向）に向けて載置されるようになっており、マガジン駆動モータ２２１によりマガジンＭＧ３の内部からその引出口ＥＸに印画紙を引き出すようになっている。
【００３４】
また、マガジン載置部２２は、図４に示すように、マガジン搭載機構２２２を備えている。なお、図４はマガジン載置部２２を後側（−Ｘ方向）から見た図であり、ここで用いる右左の方向を示す語は前側（＋Ｘ方向）からみた方向を指している。すなわち、マガジン搭載機構２２２は、マガジン載置部２２の右側（＋Ｙ方向）端部に前後方向（Ｘ方向）に沿って設けられた一対の軸受２２３（図４中では後側の軸受のみ図示）のそれぞれに一端Ｔ１側を回動支点として他端Ｔ２側が上下方向に回動するように支持された一対のガイドレール２２４（図４中では後側のガイドレールのみ図示）と、この一対のガイドレール２２４に当該ガイドレール２２４上に沿ってマガジン載置部２２の内部と外部との間をスライドするように取り付けられたマガジン載置台２２５と、マガジン載置部２２の下部と各ガイドレール２２４の他端Ｔ２側との間に取り付けられたオイルダンパ等の制動部材２２６とを備えている。
【００３５】
なお、マガジン載置台２２５は、図４に示されているように、一対のガイドレール２２４をスライドしてマガジン載置部２２の右側（＋Ｙ方向）外部に突出し得るようになっている。また、マガジン載置台２２５の左右両側（Ｙ方向）にはそれぞれ直立した位置固定板２２７ａ，２２７ｂが形成され、右側の位置固定板２２７ａには取っ手２２８が突設されている。なお、符号２２９は、マガジン載置部２２におけるマガジンＭＧ３の印画紙引出口ＥＸに対向する位置に設けられている印画紙導出口である。
【００３６】
このように構成されたマガジン搭載機構２２２を用いてマガジン載置部２２上にマガジンＭＧ３を搭載するには、まず、図４（ａ）に示すように、マガジン載置台２２５がマガジン載置部２２の右側（＋Ｙ方向）外部に突出して下方に降下した状態で、マガジンＭＧ３を位置固定板２２７ａ，２２７ｂ間に挿入するようにしてマガジン載置台２２５上に載置する。そして、取っ手２２８を把持してマガジン載置台２２５に上方向の力を加えて一対のガイドレール２２４を軸受２２３部分を回動支点として回動させ、マガジン載置台２２５を図４（ｂ）に示す位置にまで持ち上げる。その後、マガジン載置台２２５に図４（ｂ）に示す矢印方向（−Ｙ方向）の力を加えて一対のガイドレール２２４上をスライドさせ、マガジン載置台２２５をマガジン載置部２２の所定の位置に移動させる。このような操作によって、マガジンＭＧ３が重い場合でも、そのマガジンＭＧ３を高い位置にあるマガジン載置部２２に容易に搭載することが可能となる。
【００３７】
なお、制動部材２２６は、ガイドレール２２４が急激に回動してマガジン載置台２２５に載置したマガジンＭＧ３が落下したりすることがないようにガイドレール２２４に制動力を付与するものである。また、マガジン載置部２２には、マガジン載置台２２５が図４（ｂ）に示す位置からマガジン載置部２２上の所定の位置に移動させた後に不用意に移動することがないようにする図略の係止部が設けられている。また、マガジンＭＧ３をマガジン載置部２２から取り外すには、マガジン載置台２２５を上記と逆の順序で移動させて行えばよい。
【００３８】
図３に戻り、第１の搬送部２３は、マガジンＭＧ３の引出口ＥＸから引き出された印画紙を水平方向に搬送する横搬送部２３１と、横搬送部２３１の印画紙を９０゜方向を変更して下方に搬送する縦搬送部２３２とから構成されている。この横搬送部２３１と縦搬送部２３２との間には、ＤＣモータ等からなるローラ駆動部２３３により回転駆動される第１の搬送ローラ２３４が配設され、この第１の搬送ローラ２３４によりマガジンＭＧ３内の印画紙を外部に引き出す一方、この引き出した印画紙を横搬送部２３１から縦搬送部２３２に送り込むようになっている。
【００３９】
また、縦搬送部２３２には、第１の搬送ローラ２３４に近い位置にループ形成部２３５が形成される一方、このループ形成部２３５の下流側に第２の搬送ローラ２３６が配設されている。また、この第２の搬送ローラ２３６の下流側に焼付部２３７が形成される一方、この焼付部２３７の下流側にストック部２３８とカッタ部２３９とがこの順序で形成されている。
【００４０】
ループ形成部２３５は、第１の搬送ローラ２３４により搬送されてきた印画紙を安定したピッチで下流側に搬送することができるようにループ状に貯め込む機能を有し、下端側を回動支点として実線で示す第１の位置と鎖線で示す第２の位置との間を回動可能に配設されたループガイド２４０と、このループガイド２４０を第１の位置と第２の位置とに切り換えるＤＣモータ等からなるループガイド駆動部２４１とを備えている。なお、ループガイド２４０は、第１の位置に存在しているときには縦搬送部２３２の一部を構成する。また、ループ形成部２３５には、ループ状に貯め込まれた印画紙が所定長さになったか否かを検出するループセンサＳ１が配設されている。
【００４１】
第２の搬送ローラ２３６は、ＤＣモータ等からなるローラ駆動部２４２により回転駆動される駆動ローラ２３６ａと、上記パッド／ローラ駆動部２１５により駆動ローラ２３６ａに対する接離方向に移動するように配設された従動ローラ２３６ｂとから構成されている。なお、第２の搬送ローラ２３６と焼付部２３７との間には、印画紙の先端を検出する印画紙センサＳ２が配設されている。また、パッド／ローラ駆動部２１５は、１つのＤＣモータでプレッシャーパッド２１６を画像表示部２１１に対する接離方向に移動させる一方、従動ローラ２３６ｂを駆動ローラ２３６ａに対する接離方向に移動させるように構成されている。
【００４２】
すなわち、パッド／ローラ駆動部２１５は、図５（ａ）に示すように、周縁部にカムフォロア２１５ａを備え、従動ローラ２３６ｂの下方（−Ｚ方向）に配設された回転板２１５ｂと、カムフォロア２１５ａが摺動する孔部２１５ｃの形成されたカム板２１５ｄと、回転板２１５ｂを中心軸２１５ｅ回りに回転させるＤＣモータ等からなる回転板駆動部２１５ｆとを備えている。カム板２１５ｄは、上部位置に突出片２１５ｈが形成されると共に、回転板２１５ｂの回転に応じてカムフォロア２１５ａが孔部２１５ｃの周縁に沿って摺動することにより下部位置の軸体２１５ｇ回りに回動（揺動）するようになっている。
【００４３】
なお、カム板２１５ｄと所定間隔をおいて対向する位置にカム板２１５ｄと一緒に軸体２１５ｇ回りに回動する図略の回動板が配設される一方、このカム板２１５ｄと回動板との間に鎖線で示すプレッシャーパッド２１６が着脱自在に取り付けられており、カム板２１５ｄ及び回動板の回動に応じてプレッシャーパッド２１６が画像表示部２１１の表示面２１４に当接する位置と、表示面２１４から離反する位置との間を移動するようになっている。
【００４４】
一方、従動ローラ２３６ｂは、前後方向（Ｘ方向）に移動可能に配設された移動板２１５ｉの前側（＋Ｘ方向）に取り付けられ、この移動板２１５ｉがコイルばね２１５ｊにより前方向（＋Ｘ方向）に付勢されて駆動ローラ２３６ａに圧接されるようになっている。また、移動板２１５ｉは、その後側（−Ｘ方向）にローラ２１５ｋが形成されており、カム板２１５ｄが回動して突出片２１５ｈがローラ２１５ｋを押圧することによりコイルばね２１５ｊの付勢力に抗して後側（−Ｘ方向）に移動されるようになっている。移動板２１５ｉが後側に移動されると、従動ローラ２３６ｂは駆動ローラ２３６ａから離反することになる。
【００４５】
上記のように構成されたパッド／ローラ駆動部２１５において、回転板２１５ｂが矢印方向に回転し、カムフォロア２１５ａが図５（ｂ）の実線で示す第１の位置Ｐ１に達したときにはカム板２１５ｄが図５（ａ）に示す位置に移動し、従動ローラ２３６ｂが駆動ローラ２３６ａに圧接される一方、プレッシャーパッド２１６が画像表示部２１１の表示面２１４に弾性的に接触する。
【００４６】
また、カムフォロア２１５ａが点線で示す図５（ｂ）の第２の位置Ｐ２に達したときにはカム板２１５ｄが図５（ａ）に示す位置から少し後側（−Ｘ方向）に移動する。このとき、プレッシャーパッド２１６は画像表示部２１１の表示面２１４から離反するが、カム板２１５ｄの突出片２１５ｈは移動板２１５ｉのローラ２１５ｋを押圧しないので、従動ローラ２３６ｂは駆動ローラ２３６ａに圧接されたままとなる。
【００４７】
また、カムフォロア２１５ａが点線で示す図５（ｂ）の第３の位置Ｐ３に達したときにはカム板２１５ｄが図５（ａ）に示す位置からさらに少し後側（−Ｘ方向）に移動する。このとき、プレッシャーパッド２１６は画像表示部２１１の表示面２１４からさらに離反する。また、カム板２１５ｄの突出片２１５ｈが移動板２１５ｉのローラ２１５ｋを押圧するようになる結果、従動ローラ２３６ｂは駆動ローラ２３６ａから離反することになる。
【００４８】
また、カムフォロア２１５ａが点線で示す図５（ｂ）の第４の位置Ｐ４に達したときにはカム板２１５ｄが第３の位置Ｐ３のときよりも少し前側（＋Ｘ方向）に移動する。このとき、プレッシャーパッド２１６は第３の位置Ｐ３のときよりも画像表示部２１１の表示面２１４に少し近づくが表示面２１４に接触することはない。また、カム板２１５ｄの突出片２１５ｈが移動板２１５ｉのローラ２１５ｋから離反する結果、従動ローラ２３６ｂはコイルばね２１５ｊの付勢力で駆動ローラ２３６ａに圧接されることになる。
【００４９】
上記のようにパッド／ローラ駆動部２１５が構成されることにより、プレッシャーパッド２１６と従動ローラ２３６ｂとが簡単な構成で正確にタイミングが取られて作動することになる。
【００５０】
図３に戻り、焼付部２３７は、印画紙に対する焼付処理が行われる領域であり、縦搬送部２３２の一部が切り欠かれて構成されたものである。なお、焼付部２３７の前側（＋Ｘ方向）に画像表示部２１１がその表示面２１４を縦搬送部２３２側に臨ませて配設され、焼付部２３７の後側（−Ｘ方向）にプレッシャーパッド２１６が配設される。
【００５１】
ストック部２３８は、焼付部２３７を通過させて所定長さ分だけ下流側に搬送した焼付処理を行う前の印画紙を一時的に収納する機能を有し、画像表示部２１１の下方に配設された印画紙収納ボックス２４３と、上流側から搬送されてきた印画紙を印画紙収納ボックス２４３に案内するガイドプレート２４４とから構成されている。
【００５２】
ガイドプレート２４４は、実線で示す第１の位置と鎖線で示す第２の位置との間を移動可能に配設されており、ガイドプレート２４４の直上には、駆動ローラ２５０ａと、駆動ローラ２５０ａに対する接離方向に移動可能に配設された従動ローラ２５０ｂとからなる第３の搬送ローラ２５０が配設されている。駆動ローラ２５０ａは従動ローラ２５０ｂよりも後側（−Ｘ方向）で従動ローラ２５０ｂより上方（＋Ｚ方向）に配置され、従動ローラ２５０ｂは駆動ローラ２５０ａよりも前側（＋Ｘ方向）で駆動ローラ２５０ａよりも下方（−Ｚ方向）に配置されている。また、駆動ローラ２５０ａはＤＣモータ等からなるローラ駆動部２５１により回転駆動される一方、従動ローラ２５０ｂはガイドプレート２４４と共に、ＤＣモータやカム機構等からなる後述するガイド／ローラ駆動部２５２により移動されるようになっている。
【００５３】
上記ガイド／ローラ駆動部２５２は、図６（ａ）に示すように、軸体２５２ａを回動支点として回転するカム板２５２ｂと、一端側がカム板２５２ｂの前側（＋Ｘ方向）に位置する軸体２５２ｄに一体に取り付けられ、他端側に取り付けられたカムフォロア２５２ｃがカム板２５２ｂの周面に沿って摺動することにより軸体２５２ｄを回動支点として回動するアーム２５２ｅと、カム板２５２ｂを回転駆動するＤＣモータ２５２ｆとを備えている。また、アーム２５２ｅの一端側の軸体２５２ｄには、図６（ｂ）に示すように、軸体２５２ｄの下方（−Ｚ方向）において軸体２５２ｄを支点として揺動する揺動軸体２５２ｇが一体に取り付けられており、この揺動軸体２５２ｇに従動ローラ２５０ｂが回転自在に取り付けられている。
【００５４】
一方、ガイドプレート２４４は、図６（ｂ）に示すように、左右両側（Ｙ方向）に側板２４４ａ（図６中では一方のみ図示）が形成されており、この側板２４４ａを貫通する軸体２４４ｂ回りに回動可能に取り付けられる一方、側板２４４ａの略中央部に長手形状の貫通孔２４４ｃが形成され、この貫通孔２４４ｃに揺動軸体２５２ｇが遊嵌されている。
【００５５】
上記のように構成されたガイド／ローラ駆動部２５２において、カム板２５２ｂが矢印方向に回転し、アーム２５２ｅが図６（ａ）に示す位置に達したときには揺動軸体２５２ｇが図６（ｂ）に示すように軸体２５２ｄの略直下の位置に移動する。このとき、従動ローラ２５０ｂは駆動ローラ２５０ａから離反するようになっており、駆動ローラ２５０ａと従動ローラ２５０ｂとの間には大きいギャップが形成される。一方、ガイドプレート２４４は、図６（ｂ）に示すように直立状態に最も近い位置に移動し、鎖線矢印で示すように、駆動ローラ２５０ａと従動ローラ２５０ｂとの間の大きいギャップを通って上流側から搬送されてくる印画紙を受け取って印画紙収納ボックス２４３に案内する。
【００５６】
また、アーム２５２ｅが図７（ａ）に示す位置に達したときには揺動軸体２５２ｇが図６（ｂ）の場合よりも後側（−Ｘ方向）の図７（ｂ）に示す位置に移動する。このとき、従動ローラ２５０ｂは駆動ローラ２５０ａに近接するが、まだ駆動ローラ２５０ａと従動ローラ２５０ｂとの間には印画紙が自由に通過可能な小さいギャップが形成されるようになっている。また、ガイドプレート２４４は、図７（ｂ）に示すように、第３の搬送ローラ２５０の下流側の縦搬送部２３２よりも下方の位置に移動する。この結果、図７（ｂ）の鎖線矢印で示すように、駆動ローラ２５０ａと従動ローラ２５０ｂとの間の小さいギャップを通って上流側から搬送されてくる印画紙は縦搬送部２３２の下流側に搬送されることになる。
【００５７】
また、アーム２５２ｅが図８（ａ）に示す位置に達したときには揺動軸体２５２ｇが図７（ｂ）の場合よりもさらに後側（−Ｘ方向）の図８（ｂ）に示す位置に移動する。このとき、従動ローラ２５０ｂは駆動ローラ２５０ａに圧接されるようになっている。一方、ガイドプレート２４４は、図７（ｂ）の場合と略同様の位置に維持される。この結果、図８（ｂ）の鎖線矢印で示すように、上流側から搬送されてくる印画紙は第３の搬送ローラ２５０でニップされて縦搬送部２３２の下流側に搬送されることになる。
【００５８】
また、アーム２５２ｅが図９（ａ）に示す位置に達したときには揺動軸体２５２ｇが図７（ｂ）の場合よりも少し前側（＋Ｘ方向）の図９（ｂ）に示す位置に移動する。このとき、従動ローラ２５０ｂは駆動ローラ２５０ａから離反して駆動ローラ２５０ａと従動ローラ２５０ｂとの間に印画紙が自由に通過可能な小さいギャップが形成されるようになっている。一方、ガイドプレート２４４は、図７（ｂ）の場合と略同様の位置に維持される。この状態では、図９（ｂ）の鎖線矢印で示すように、印画紙が駆動ローラ２５０ａと従動ローラ２５０ｂとの間のギャップを通過してカッタ部２３９側から上流側に戻されることになる。
【００５９】
上記のようにガイド／ローラ駆動部２５２が構成されることにより、ガイドプレート２４４と従動ローラ２５０ｂとが簡単な構成で正確にタイミングが取られて作動することになる。
【００６０】
図３に戻り、カッタ部２３９は、印画紙の各面に位置する第１のカッタ２３９ａ及び第２のカッタ２３９ｂと、第２のカッタ２３９ｂを第１のカッタ２３９ａに対する接離方向に移動させるＤＣモータ等からなるカッタ駆動部２４５とを備えている。また、カッタ部２３９で印画紙をカットするときにカット片（切屑）が発生する場合のその切屑を収納する切屑収納ボックス２４６が第１のカッタ２３９ａ及び第２のカッタ２３９ｂの下方に配設される一方、その切屑を切屑収納ボックス２４６に案内するガイドプレート２４７が配設されている。このガイドプレート２４７は、ＤＣモータ等からなるガイド駆動部２４８により下流側端部を回動支点として実線で示す第１の位置と鎖線で示す第２の位置との間を回動するようになっている。また、このガイドプレート２４７は、第１の位置に存在しているときには縦搬送部２３２の一部を構成する。
【００６１】
なお、カッタ部２３９の直前には印画紙の先端を検出する印画紙センサＳ３が配設されている。また、カッタ部２３９の下流側には、第４の搬送ローラ２４９が配設されており、カッタ部２３９でカットされた印画紙を第２の搬送部２６に送り込む。この第４の搬送ローラ２４９は、駆動ローラ２４９ａと従動ローラ２４９ｂからなり、駆動ローラ２４９ａがＤＣモータ等からなるローラ駆動部２５３により回転駆動されるようになっている。
【００６２】
第２の搬送部２６は、カッタ部２３９でカットされた印画紙を受け取って横方向に搬送する横搬送ユニット２６１と、横搬送ユニット２６１から排出された印画紙を受け取り縦方向に沿って現像処理部３０側に搬送する縦搬送ユニット２６２とを備えている。
【００６３】
横搬送ユニット２６１は、ＤＣモータ等からなるローラ駆動部２６３により回転駆動される駆動ローラ２６４と従動ローラ２６５とに架け渡された上搬送ベルト２６６と、上記ローラ駆動部２６３により回転駆動される駆動ローラ２６７と従動ローラ２６８とに架け渡され、上搬送ベルト２６６に密着して配設された下搬送ベルト２６９とから構成されており、印画紙を上搬送ベルト２６６と下搬送ベルト２６９とで挟み込んで後側（−Ｘ方向）に搬送するようになっている。
【００６４】
縦搬送ユニット２６２は、ＤＣモータ等からなるローラ駆動部２７０により回転駆動される駆動ローラ２７１と従動ローラ２７２とに架け渡された左搬送ベルト２７３と、上記ローラ駆動部２７０により回転駆動される駆動ローラ２７４と従動ローラ２７５とに架け渡され、左搬送ベルト２７３に密着して配設された右搬送ベルト２７６とから構成されており、印画紙を左搬送ベルト２７３と右搬送ベルト２７６とで挟み込んで下側（−Ｚ方向）に搬送するようになっている。
【００６５】
図１０は、現像処理部３０の概略構成を示す図である。この図において、現像処理部３０は、第１の焼付処理部１０又は第２の焼付処理部２０で焼付処理された印画紙を下流側の現像処理開始位置ＳＰに給送する給送ユニット３１と、現像処理開始位置ＳＰに給送された印画紙を現像処理する処理タンク３３と、現像処理された印画紙を乾燥処理する乾燥処理室３５とを備えている。
【００６６】
給送ユニット３１は、第１の焼付処理部１０の排出ユニット１６４から搬送されてきた印画紙を受け入れる第１の搬入口３１１と、第１の搬入口３１１に搬入されてきた印画紙を処理タンク３２の入口近傍の現像処理開始位置ＳＰに給送する第１の給送部３１２と、第２の焼付処理部２０の縦搬送ユニット２６２から搬送されてきた印画紙を受け入れる第２の搬入口３１３と、第２の搬入口３１３に搬入されてきた印画紙を現像処理開始位置ＳＰに給送する第２の給送部３１４とを備えている。
【００６７】
第１の給送部３１２は、ＤＣモータ等からなるローラ駆動部３１５により回転駆動される駆動ローラ３１６と、この駆動ローラ３１６に圧接された従動ローラ３１７と、これらの駆動ローラ３１６と従動ローラ３１７の下流側に配設されたガイドプレート３１８とから構成されており、第１の搬入口３１１に搬入されてきた印画紙を駆動ローラ３１６と従動ローラ３１７とで挟み込み、ガイドプレート３１８に沿わせて現像処理開始位置ＳＰに給送する。
【００６８】
第２の給送部３１４は、上記ローラ駆動部３１５により回転駆動される駆動ローラ３１９と、この駆動ローラ３１９に圧接された従動ローラ３２０と、これらの駆動ローラ３１９と従動ローラ３２０の下流側に配設されたガイドプレート３２１とから構成されており、第２の搬入口３１３に搬入されてきた印画紙を駆動ローラ３１９と従動ローラ３２０とで挟み込み、ガイドプレート３２１に沿わせて現像処理開始位置ＳＰに給送する。なお、第１の給送部３１２のガイドプレート３１８と第２の給送部３１４のガイドプレート３２１とは一体に構成されている。
【００６９】
処理タンク３３は、現像処理開始位置ＳＰ直下の現像液が充填される現像処理タンク３３１と、漂白定着液が充填される漂白定着処理タンク３３２と、安定液が充填される第１の安定処理タンク３３３と、安定液が充填される第２の安定処理タンク３３４と、安定液が充填される第３の安定処理タンク３３５と、安定液が充填される第４の安定処理タンク３３６とを前側（＋Ｘ方向）から後側（−Ｘ方向）にかけて順に備えており、各処理タンク３３１乃至３３６内には、ＤＣモータ等からなるローラ駆動部３３７により回転駆動される搬送ローラユニット３３８が配設され、印画紙を各処理タンク３３１乃至３３６内に順に搬入出するようになっている。
【００７０】
乾燥処理室３５は、図略のヒータやファン等から構成された昇温部３５１を備え、処理タンク３３で現像処理された印画紙を受け入れて乾燥した後、その乾燥した印画紙を外部に排出するようになっている。
【００７１】
印画紙排出部４０は、乾燥処理室３５で乾燥処理された印画紙を上下方向に配列された各トレイ４１に順に排出する。
【００７２】
図１１は、本発明に係る焼付現像処理装置の主要な制御構成を示すブロック図である。制御部６０は、所定の演算処理を行うＣＰＵ６１、所定のプログラムが記憶されているＲＯＭ６２、処理データを一時的に記憶するＲＡＭ６３から構成されており、上記所定のプログラムに従って焼付現像処理装置の全体の動作を制御する。
【００７３】
すなわち、ＣＰＵ６１は、スタートスイッチＳＷ、焼付処理部選択キーＳＫ、拡大倍率設定キーＢＫ、焼付枚数設定キーＺＫ、印画紙の先端カット処理指定キーＰＫ、焼付種類指定キーＹＫ、各種センサＳから信号が入力されることにより、第１の焼付処理部１０のローラ駆動部１１６，１２０，１３３，１４０，１７０，１７８，１８６，１９５、シャッタ駆動部１１７、レンズ駆動部１１８及びカッタ駆動部１５３、第２の焼付処理部２０の画像データ出力部２１３、パッド／ローラ駆動部２１５、ローラ駆動部２３３，２４２，２５１，２５３，２６３，２７０、ループガイド駆動部２４１、カッタ駆動部２４５、ガイド駆動部２４８及びガイド／ローラ駆動部２５２、並びに、現像処理部３０のローラ駆動部３１５，３３７及び昇温部３５１をそれぞれ駆動制御する。
【００７４】
上記のように構成された焼付現像処理装置は次のように動作する。すなわち、フィルム画像を焼付処理する場合で絵柄画像と文字画像との合成画像を必要としない場合は、焼付処理部選択キーＳＫにより第１の焼付処理部１０が選択される。そして、各種条件が設定されてスタートスイッチＳＷがＯＮされると、フィルム画像投影部１１によりネガフィルムＦが１コマ毎に巻き取られ、焼付部１２上にフィルム画像が順に投影される。一方、マガジン載置部１３上のマガジンＭＧ１（又はＭＧ２）から印画紙が順に引き出され、カッタ部１５で所定長さに切断されて順に焼付部１２上に搬送される。このマガジンＭＧ１（又はＭＧ２）からの印画紙の引き出しはフィルム画像投影部１１のネガフィルムＦの巻き取りと同期して行われる。
【００７５】
焼付部１２で焼付処理された印画紙は搬送ベルト１２３により下流側に搬送され、横搬送ユニット１６１、斜め搬送ユニット１６２、縦搬送ユニット１６３及び排出ユニット１６４により現像処理部３０側に搬送される。
【００７６】
現像処理部３０側に搬送された印画紙は、給送ユニット３１により現像処理開始位置ＳＰに給送され、処理タンク３３内に搬入されて現像処理が行われる。現像処理の終了した印画紙は乾燥処理室３５内に搬送されて乾燥され、乾燥処理の終了した印画紙は印画紙排出部４０に排出される。
【００７７】
次に、焼付処理部選択キーＳＫにより第２の焼付処理部２０が選択された場合の動作につき、図１２のフローチャートと図１３乃至図２２の動作図とを参照して説明する。この第２の焼付処理部２０が選択される場合とは、絵柄画像と文字画像との合成画像を必要とする場合である。この場合、前段階として、予めパソコン等の外部装置によりフィルム等の絵柄画像が撮像素子で読み取られる一方、文字データがキーボード等から入力されて絵柄画像と合成され、その画像データに所定の画像処理が施される。
【００７８】
上記前段階の作業が終了し、各種条件が設定されてスタートスイッチＳＷがＯＮされると、最初に印画紙の先端カット処理が指定されたか否かが判断される（ステップＳ１）。この先端カット処理とは、マガジン内の印画紙先端が長手方向に対して直角にカットされていない場合等に先端部を一定長さ（例えば、１００ｍｍ程度）だけ長手方向に対して直角にカットする処理をいう。
【００７９】
そして、先端カット処理が指定されていないとき（ステップＳ１でＮＯ）、マガジンＭＧ３から引き出された印画紙の第１の搬送部２３へのローディングが行われる（ステップＳ２）。このとき、図１３に示すように、第２の搬送ローラ２３６の従動ローラ２３６ｂが駆動ローラ２３６ａから離反し、ループ形成部２３５のループガイド２４０は第１の位置に切り換えられた状態となっている。この状態で、第１の搬送ローラ２３４が回転して印画紙Ｐの先端が印画紙センサＳ２に達するまでマガジンＭＧ３から印画紙Ｐが引き出される。
【００８０】
また、プレッシャーパッド２１６は、画像表示部２１１の表示面２１４から離反した位置に移動しており、ストック部２３８のガイドプレート２４４と第３の搬送ローラ２５０の従動ローラ２５０ｂとが上流側から搬送されてきた印画紙Ｐを印画紙収納ボックス２４３内に案内する位置に移動している。
【００８１】
そして、印画紙Ｐの先端が印画紙センサＳ２に達すると、ループ形成部２３５で印画紙Ｐのループの形成が開始され、ループ形成部２３５内で印画紙Ｐが貯溜される（ステップＳ３）。すなわち、印画紙Ｐの先端が印画紙センサＳ２に達すると、図１４に示すように、第２の搬送ローラ２３６の従動ローラ２３６ｂが駆動ローラ２３６ａ側に移動して印画紙Ｐが駆動ローラ２３６ａと従動ローラ２３６ｂとにより挟持されてその位置で固定される一方、ループガイド２４０が第２の位置に移動される。そして、この状態で、第１の搬送ローラ２３４によりマガジンＭＧ３から印画紙Ｐが引き続いて引き出される。この結果、ループ形成部２３５で印画紙Ｐのループが形成される。この動作はループセンサＳ１が印画紙ループの頂部を検出するまで継続される。
【００８２】
なお、ループセンサＳ１は、この実施形態では、ループ形成部２３５内でのループを形成している印画紙Ｐの長さが、印画紙センサＳ２位置と画像表示部２１１のセンター位置との距離Ａｍｍと焼付サイズに対応した焼付処理に必要な長さ分Ｂｍｍとを加えた値をＮｍｍとしたとき、このＮｍｍから５０ｍｍを差し引いた値になる位置に取り付けられている。ここで、５０ｍｍを差し引くのは、印画紙Ｐを使用し終わってマガジンＭＧ３を交換するときに廃棄処分となる残りの印画紙Ｐの長さをできる限り短くするためである。
【００８３】
次いで、ループ形成部２３５から焼付処理に必要な長さ分の印画紙Ｐが送り出される（ステップＳ４）。すなわち、図１５に示すように、第２の搬送ローラ２３６の駆動ローラ２３６ａが回転駆動されることにより、画像表示部２１１のセンター位置から印画紙Ｐの先端までの長さが焼付処理に必要な長さ分となるようにループ形成部２３５から印画紙Ｐが画像表示部２１１を素通りして送り出される。この送り出された印画紙Ｐは、ガイドプレート２４４と第３の搬送ローラ２５０の従動ローラ２５０ｂとが図６（ｂ）に示す位置にあるので、ガイドプレート２４４に沿って印画紙収納ボックス２４３内に導かれ、印画紙収納ボックス２４３内にループ形状となって収納される。
【００８４】
なお、このステップＳ４では、第２の搬送ローラ２３６の回転駆動と同時に第１の搬送ローラ２３４も回転駆動されてマガジンＭＧ３から印画紙Ｐが引き出され、ループ形成部２３５内の印画紙Ｐが略一定の長さに維持されるようになっている。
【００８５】
このように、印画紙Ｐがループ形成部２３５からストック部２３８に送り込まれるようになっているので、印画紙Ｐに略一定の安定した負荷がかかるようになり、印画紙Ｐの正確な長さ分の送り出しが可能となる。
【００８６】
次いで、印画紙Ｐに対する焼付処理が行われる（ステップＳ５）。すなわち、図１６に示すように、プレッシャーパッド２１６が画像表示部２１１の表示面２１４に圧接される一方、第２の搬送ローラ２３６の駆動ローラ２３６ａが逆方向に間欠的に回転して印画紙収納ボックス２４３内の印画紙Ｐが画像表示部２１１の表示面２１４に密着した状態で間欠的に逆送される。このとき、画像表示部２１１が駆動され、印画紙Ｐの送り動作と同期して画像が１乃至数ラインずつ表示面２１４に表示されることにより印画紙Ｐに対する焼付処理が行われる。
【００８７】
なお、印画紙Ｐが逆送されることによりループ形成部２３５近傍の印画紙Ｐはループ形成部２３５内に戻されることになる。なお、焼付処理が終了すると、プレッシャーパッド２１６は画像表示部２１１の表示面２１４から離反する。
【００８８】
このように印画紙Ｐがストック部２３８から逆送されて焼付処理が行われるので、印画紙Ｐに不安定な負荷がかかることがないことから精度の高いピッチで印画紙Ｐを逆送することが可能となる。なお、第２の搬送ローラ２３６と第２の搬送ローラ２３６を駆動するローラ駆動部２４２、及び、第３の搬送ローラ２２５０と第３の搬送ローラ２５０を駆動するローラ駆動部２５１は、ループ形成部２３５に貯溜されている印画紙Ｐを、画像表示部２１１を通過させて下流側に搬送すると共に、画像表示部２１１における画像の焼付処理時に下流側に搬送した印画紙Ｐを上流側に逆送させる搬送駆動手段２５５を構成する。
【００８９】
次いで、焼付処理の終了した印画紙Ｐのカッタ部２３９への送り出しが行われる（ステップＳ６）。このとき、図１７に示すように、今まで図６（ｂ）に示す位置にあったガイドプレート２４４と第３の搬送ローラ２５０の従動ローラ２５０ｂとが図７（ｂ）に示す位置に移動する。すなわち、ガイドプレート２４４が第３の搬送ローラ２５０の下流側の縦搬送部２３２の下方に移動する結果、上流側から搬送されてくる印画紙Ｐが印画紙収納ボックス２４３へは送り込まれずに縦搬送部２３２によりカッタ部２３９側に搬送される状態となる。また、従動ローラ２５０ｂは駆動ローラ２５０ａに近接するが、まだ両者間にはギャップが形成されていて印画紙Ｐはそのギャップ内を自由に通過し得る状態になっている。
【００９０】
この状態で、焼付処理の終了した印画紙Ｐは、その先端がカッタ部２３９直前の印画紙センサＳ３に達する位置にまで第２の搬送ローラ２３６により搬送される。このとき、同時に第１の搬送ローラ２３４によりマガジンＭＧ３内から印画紙Ｐが引き出されてループ形成部２３５内の印画紙Ｐが略一定の長さに維持されるようになっている。
【００９１】
そして、印画紙Ｐの先端が印画紙センサＳ３に達すると、図１８に示すように、第２の搬送ローラ２３６の従動ローラ２３６ｂが駆動ローラ２３６ａから離反する。また、今まで図７（ｂ）に示す位置にあったガイドプレート２４４と第３の搬送ローラ２５０の従動ローラ２５０ｂとが図８（ｂ）に示す位置に移動し、従動ローラ２５０ｂが印画紙Ｐを介して駆動ローラ２５０ａに圧接される一方、駆動ローラ２５０ａが回転駆動して印画紙センサＳ３位置を基準に印画紙Ｐの焼付処理した長さ分がカッタ部２３９側に搬送される。その後、印画紙Ｐのカット処理が行われる（ステップＳ７）。なお、印画紙Ｐの焼付処理した長さ分がカッタ部２３９側に搬送されるときには、カッタ部２３９の下流側の第４の搬送ローラ２４９も回転駆動し、カットされた印画紙Ｐを第２の搬送部２６に送り込む。
【００９２】
次いで、続けて焼付処理する必要があるか否か（すなわち、リピート焼か否か）が判断される（ステップＳ８）。続けて焼付処理する必要があるとき（ステップＳ８でＹＥＳ）、印画紙の白縁部分のある焼付処理か否か（すなわち、焼き付けた画像の周辺に白い縁が存在する焼付処理か否か）の指定された焼付種類が判断される（ステップＳ９）。そして、白縁部分のない焼付処理のとき（画像の縁部分について微小寸法分だけ広い目に焼付処理された、いわゆるボーダレス焼付のとき）（ステップＳ９でＮＯ）、印画紙Ｐの先端部分のカットが行われる（ステップＳ１０）。すなわち、図１９に示すように、ステップＳ７でカットした後の印画紙Ｐが第３の搬送ローラ２５０により所定寸法（例えば、３ｍｍ程度）だけカッタ部２３９側に搬送され、先端部分がカットされる。これにより、微小寸法分だけ広い目に焼付処理された画像の縁部分（次に焼付処理される印画紙Ｐの先端側の部分）が削除される。このとき、カッタ部２３９の下方に位置するガイドプレート２４７が第２の位置に移動して切屑を切屑収納ボックス２４６内に導く。その後、ガイドプレート２４７は元の第１の位置に移動する。
【００９３】
次に、続けて焼付処理する印画紙Ｐの長さが、画像表示部２１１のセンターとカッタ部２３９間の距離（例えば、１５２ｍｍ）以下か否かが判断される（ステップＳ１１）。このとき、図２０に示すように、今まで図８（ｂ）の位置にあったガイドプレート２４４と従動ローラ２５０ｂとが図９（ｂ）の位置に移動して従動ローラ２５０ｂが駆動ローラ２５０ａから離反し、従動ローラ２３６ｂが駆動ローラ２３６ａ側に移動して印画紙Ｐが駆動ローラ２３６ａと従動ローラ２３６ｂとにより挟持される。このとき、同時に第１の搬送ローラ２３４が回転してループ形成部２３５に印画紙Ｐのループが形成される。ループセンサＳ１がループを検出すると第１の搬送ローラ２３４は停止する。
【００９４】
そして、続けて焼付処理する印画紙Ｐの長さが上記長さ以下のとき（ステップＳ１１でＹＥＳ）、図２１に示すように、第２の搬送ローラ２３６により画像表示部２１１のセンターと印画紙Ｐの先端との長さが焼付処理に必要な長さになるまで逆送される。なお、焼付処理に必要な長さが画像表示部２１１のセンターとカッタ部２３９間の距離と同じである場合は逆送させる必要はない。その後、プレッシャーパッド２１６が画像表示部２１１の表示面２１４に圧接され、第２の搬送ローラ２３６により印画紙Ｐが間欠的に逆送されて上記と同様に画像表示部２１１で焼付処理が行われる（ステップＳ１２）。その後、ステップＳ６に戻り、上記動作が繰り返される。
【００９５】
なお、画像表示部２１１の表示面２１４のセンターとカッタ部２３９との距離を焼付頻度の高い焼付サイズ（印画紙サイズ）に対応させて設定しておくと、その焼付サイズ以下の２コマ目以降の焼付処理時には印画紙Ｐの焼付処理に必要な長さ分をストック部２３８にストックせずにカッタ部２３９から直接、逆送することができ、処理スピードが早くなって焼付効率を高めることが可能となる。
【００９６】
また、続けて焼付処理するのに必要な印画紙Ｐの長さが上記長さを超えるとき（ステップＳ１１でＮＯ）、印画紙Ｐの先端が第３の搬送ローラ２５０直近の上流側の位置に達するまで、プレッシャーパッド２１６が画像表示部２１１の表示面２１４から離反した状態で印画紙Ｐが第２の搬送ローラ２３６により逆送される。そして、図９（ｂ）の位置にあったガイドプレート２４４と従動ローラ２５０ｂとが図６（ｂ）に示す位置に移動した後、第２の搬送ローラ２３６により印画紙Ｐが焼付処理に必要な長さになるまでループ形成部２３５から送り出されて印画紙収納ボックス２４３内に収納される。
【００９７】
そして、図２２に示すように、プレッシャーパッド２１６が画像表示部２１１の表示面２１４に圧接された状態で、印画紙収納ボックス２４３内の印画紙Ｐが第２の搬送ローラ２３６により間欠的に逆送されて上記と同様に画像表示部２１１で焼付処理が行われる（ステップＳ１３）。その後、ステップＳ６に戻り、上記動作が繰り返される。なお、白縁部分のある焼付処理のとき（ステップＳ９でＹＥＳ）、上記ステップＳ１１以降の処理が実行される。
【００９８】
また、ステップＳ７のカット処理後、続けて焼付処理する必要がないとき（ステップＳ８でＮＯ）、さらに白縁のある焼付処理か否かが判断される（ステップＳ１４）。そして、白縁のない焼付処理のとき（ステップＳ１４でＮＯ）、ステップＳ１０と同様の印画紙Ｐの先端部分のカットが行われる（ステップＳ１５）。また、白縁のある焼付処理のとき（ステップＳ１４でＹＥＳ）、印画紙ＰがマガジンＭＧ３内に巻き戻される（ステップＳ１６）。なお、焼付処理の終了した印画紙Ｐは、第２の搬送部２６により現像処理部３０に搬送され、第１の焼付処理部１０の場合と同様の現像処理が行われる。
【００９９】
なお、印画紙Ｐの先端カット処理が指定されたとき（ステップＳ１でＹＥＳ）、ステップＳ２と同様にマガジンＭＧ３から引き出された印画紙の第１の搬送部２３へのローディングが行われ（ステップＳ１７）、続いてステップＳ３と同様にループ形成部２３５で印画紙Ｐのループが形成される（ステップＳ１８）。そして、ステップＳ６と同様に印画紙Ｐがカッタ部２３９へ搬送され（ステップＳ１９）、先端部が一定長さだけ長手方向に対して直角にカットされる（ステップＳ２０）。その後、ステップ１１に進み、上記と同様の焼付処理が行われる。
【０１００】
本発明の焼付現像処理装置は、上記のように、印画紙の搬送部が、画像表示部よりも上流側に配設されると共に、マガジンから引き出した印画紙をループ状にして貯溜するループ形成部と、このループ形成部に貯溜されている印画紙を少なくとも画像の焼付けを行うのに必要な長さ分だけ当該ループ形成部から画像表示部を通過させて下流側に搬送すると共に、画像表示部における印画紙への画像の焼付処理時に下流側に搬送した印画紙を上流側に逆送させる搬送駆動手段とを備えている。
【０１０１】
このため、ループ形成部における印画紙には略一定の安定した負荷がかかることから、ループ形成部から正確な長さ寸法の印画紙を画像表示部を通過させて下流側に搬送することができると共に、下流側に搬送された印画紙には不安定な負荷がかからないことから、画像表示部における焼付処理時に下流側に搬送された印画紙を精度の高いピッチで上流側に逆送することができ、絵柄画像と文字画像との合成画像を効率よく焼付処理することができる。
【０１０２】
なお、上記実施形態では、第２の焼付処理部２０を構成している画像転写部２１の画像表示部２１１がＦＯＣＲＴで構成されて密着焼付するようなっており、鮮明度の高い画像を得ることができるようになっているが、このＦＯＣＲＴの代わりにＰＬＺＴ素子を用いて画像表示部２１１を構成することもできる。このＰＬＺＴ素子を用いる場合には、駆動回路部２１２や画像データ出力部２１３はＰＬＺＴに対応した周知の構成のものを採用すればよい。なお、ＰＬＺＴ素子とは、チタン酸ジルコン酸鉛にランタンを添加することにより得られる透明強誘電性セラミックス材料から構成され、その材料の有する電気光学効果を利用したシャッタアレイをいう。さらには、ＦＯＣＲＴの代わりにＣＲＴ（Cathode-Ray-Tube）を用いて画像表示部２１１を構成することもできる。この場合は、画像がＦＯＣＲＴのように１乃至数ライン毎に表示されるのではなく、全体が同時に表示されることになる。要するに、画像表示部２１１は、画像データを光信号に変換して印画紙上に出力するものであれば種々のものを採用することができる。
【０１０３】
また、上記実施形態では、第２の焼付処理部２０における印画紙の焼付処理時にループ形成部２３５からストック部２３８側に搬送する印画紙Ｐの長さは、焼付処理に必要な長さ分としているが、それよりも少し長めに搬送するようにすることも可能である。また、上記実施形態における焼付現像処理装置の細部の構成及び動作については種々の変形態様が可能である。
【図面の簡単な説明】
【０１０４】
【図１】本発明の実施形態に係る焼付現像処理装置の側面図である。
【図２】図１に示す焼付現像処理装置の第１の焼付処理部の概略構成を示す図である。
【図３】図１に示す焼付現像処理装置の第２の焼付処理部の概略構成を示す図である。
【図４】図３に示す第２の焼付処理部におけるマガジン載置部のマガジン搭載機構を説明するための図で、（ａ）はマガジン載置台が下方に位置している状態の図、（ｂ）はマガジン載置台が上方に位置している状態の図である。
【図５】図３に示す第２の焼付処理部におけるパッド／ローラ駆動部の構成を示す図である。
【図６】図３に示す第２の焼付処理部におけるガイド／ローラ駆動部の構成を示す図で、（ａ）は駆動部の構成を示す図、（ｂ）はガイドプレートと第３の搬送ローラの動きを説明するための図である。
【図７】図３に示す第２の焼付処理部におけるガイド／ローラ駆動部の構成を示す図で、（ａ）は駆動部の構成を示す図、（ｂ）はガイドプレートと第３の搬送ローラの動きを説明するための図である。
【図８】図３に示す第２の焼付処理部におけるガイド／ローラ駆動部の構成を示す図で、（ａ）は駆動部の構成を示す図、（ｂ）はガイドプレートと第３の搬送ローラの動きを説明するための図である。
【図９】図３に示す第２の焼付処理部におけるガイド／ローラ駆動部の構成を示す図で、（ａ）は駆動部の構成を示す図、（ｂ）はガイドプレートと第３の搬送ローラの動きを説明するための図である。
【図１０】図１に示す焼付現像処理装置の現像処理部の構成を説明するための図である。
【図１１】図１に示す焼付現像処理装置の制御系の構成を説明するための図である。
【図１２】図３に示す第２の焼付処理部の動作を説明するためのフローチャートである。
【図１３】図３に示す第２の焼付処理部の動作を説明するための要部を示す図である。
【図１４】図３に示す第２の焼付処理部の動作を説明するための要部を示す図である。
【図１５】図３に示す第２の焼付処理部の動作を説明するための要部を示す図である。
【図１６】図３に示す第２の焼付処理部の動作を説明するための要部を示す図である。
【図１７】図３に示す第２の焼付処理部の動作を説明するための要部を示す図である。
【図１８】図３に示す第２の焼付処理部の動作を説明するための要部を示す図である。
【図１９】図３に示す第２の焼付処理部の動作を説明するための要部を示す図である。
【図２０】図３に示す第２の焼付処理部の動作を説明するための要部を示す図である。
【図２１】図３に示す第２の焼付処理部の動作を説明するための要部を示す図である。
【図２２】図３に示す第２の焼付処理部の動作を説明するための要部を示す図である。
【符号の説明】
【０１０５】
１０  第１の焼付処理部
１２  焼付部
１３  マガジン載置部
１４  第１の搬送部
１６  第２の搬送部
２０  第２の焼付処理部
２１  画像転写部
２２  マガジン載置部
２３  第１の搬送部（印画紙搬送部）
２６  第２の搬送部（印画紙搬送部）
３０  現像処理部
４０  印画紙排出部
２１１  画像表示部
２１４  表示面
２２２  マガジン搭載機構
２２４  ガイドレール（ガイドレール部材）
２２５  マガジン載置台
２３５  ループ形成部
２３６  第２の搬送ローラ
２３７  焼付部
２３８  ストック部
２３９  カッタ部
２４２  ローラ駆動部
２４４  ガイドプレート（ガイド部材）
２４６  切屑収納ボックス
２４７  ガイドプレート（ガイド部材）
２５０  第３の搬送ローラ
２５１  ローラ駆動部
２５５  搬送駆動手段
【図１】
2004246390.tif 000003
【図２】
2004246390.tif 000004
【図３】
2004246390.tif 000005
【図４】
2004246390.tif 000006
【図５】
2004246390.tif 000007
【図６】
2004246390.tif 000008
【図７】
2004246390.tif 000009
【図８】
2004246390.tif 000010
【図９】
2004246390.tif 000011
【図１０】
2004246390.tif 000012
【図１１】
2004246390.tif 000013
【図１２】
2004246390.tif 000014
【図１３】
2004246390.tif 000015
【図１４】
2004246390.tif 000016
【図１５】
2004246390.tif 000017
【図１６】
2004246390.tif 000018
【図１７】
2004246390.tif 000019
【図１８】
2004246390.tif 000020
【図１９】
2004246390.tif 000021
【図２０】
2004246390.tif 000022
【図２１】
2004246390.tif 000023
【図２２】
2004246390.tif 000024